(57)【要約】【課題】受光感度を良好にしつつ室内照度の向上を図ることができる照明器具を提供する。【解決手段】照明器具１０は、光が器具内から下面以外にも出るように構成された器具本体１１と、発光管２２を曲折させて平面形状に形成された放電灯１３と、放電灯１３の下にリモコン装置２１から送信された無線光信号を受信する受光素子２０を備えた受光部１９と、受光部１９で受信した無線光信号に応じて放電灯１３の点灯制御を行う点灯装置１４と、を備え、放電灯１３からの光が受光素子２０へ直接入らないように、かつ反射した光が器具本体１１の直下以外にも放射するように角度をつけた反射板１７を放電灯１３の発光部２２と受光部１９の間に設置した。【選択図】図１
2010198854.tif 000002
【特許請求の範囲】
【請求項１】
光が器具内から下面以外にも出るように構成された器具本体と、
発光管を曲折させて平面形状に形成された放電灯と、
前記放電灯の下にリモコン装置から送信された無線光信号を受信する受光素子を備えた受光部と、
前記受光部で受信した無線光信号に応じて前記放電灯の点灯制御を行う点灯装置と、
を備えた照明装置において、
前記放電灯からの光が受光素子へ直接入らないように、かつ反射した光が器具本体の直下以外にも放射するように角度をつけた反射板を前記放電灯の発光部と前記受光部の間に設置したことを特徴とする照明器具。
【請求項２】
前記放電灯の発光部と前記受光部との間に、前記放電灯から前記受光素子へ光が直接入らないように、かつ器具本体の直下照度を確保するために放電灯中央部が空いた反射板を設けたことを特徴とする請求項１に記載した照明器具。
【請求項３】
ＬＥＤを前記反射板の略下向きにかつ、前記受光素子より下部に設置することを特徴とする請求項１または２に記載した照明器具。
【発明の詳細な説明】
【技術分野】
【０００１】
本発明は、例えば天井面に取り付けられる照明器具に関し、特に蛍光ランプとして渦巻型蛍光ランプを用い、リモコン装置から送信される無線光信号によって点灯制御される照明器具に関する。
【背景技術】
【０００２】
本発明者らは、リモコン装置が送信する無線光信号によって、放電灯の点灯動作を遠隔操作して点灯制御する照明器具を既に提案している（例えば、特許文献１参照）。
【先行技術文献】
【特許文献】
【０００３】
【特許文献１】特開２００８−２０４７３１号公報（図１、請求項１）
【発明の概要】
【発明が解決しようとする課題】
【０００４】
通常、放電灯として環状のものを用いた場合、環状放電灯は内周側が空いているので、無線光信号を受光するための受光素子を環状放電灯の略中心地点に受光面を略下方に向けて環状放電灯の内周側に収納して設置していた。
しかし、近年の傾向のように、二重渦巻型蛍光ランプのような発光管を曲折させて平面形状に形成した放電灯を使用した場合、中央部が空いてないために受光素子を収納することができなかった。
そこで、このような問題点を解決するために、上記特許文献１に開示された照明器具では、放電灯から離れた位置に受光素子を設置した。
しかし、上記特許文献１に開示された照明器具では、照明器具全体が大きくなって見栄えが悪い、幅が大きいため部屋に取り付け難い、という問題があった。
また、受光素子の位置によっては壁から反射された無線光信号の間接光を拾わずに動作しないため、感度が悪くなるといった問題が生ずる。
この問題に対して、本発明者らは、受光素子を放電灯の下に設置し、放電灯から受光素子に光が直接入らないよう間に遮光板を設けた照明器具を既に提案した。これにより、横方向に受光素子を置くスペースの確保をしなくてもよくなって照明器具全体の幅を、より小さくできる。
しかし、このような照明器具では、受光感度を良好にできるものの、遮光板を設けたために室内照度を充分確保することが難しくなるという新たな問題点が発生した。
【０００５】
本発明は、前述した課題を解決するためになされたものであり、その目的は、受光感度を良好にしつつ室内照度の向上を図ることができる照明器具を提供することにある。
【課題を解決するための手段】
【０００６】
本発明に係る照明器具は、光が器具内から下面以外にも出るように構成された器具本体と、発光管を曲折させて平面形状に形成された放電灯と、前記放電灯の下にリモコン装置から送信された無線光信号を受信する受光素子を備えた受光部と、前記受光部で受信した無線光信号に応じて前記放電灯の点灯制御を行う点灯装置と、を備えた照明装置において、前記放電灯からの光が受光素子へ直接入らないように、かつ反射した光が器具本体の直下以外にも放射するように角度をつけた反射板を前記放電灯の発光部と前記受光部の間に設置したことを特徴とする。
【０００７】
本発明においては、放電灯の発光部と受光部との間に反射板があり受光素子に放電灯の光が直接入らない。
これにより、受光感度を良好としたまま、放電灯から発し反射板に当たる光は間接光として利用して室内照度を上げることができる。また、反射板に角度をつけているために、反射板を水平に設置した場合と比べて、反射板を介して放電灯の光を器具本体に照らすことを避けないようにできる。
従って、受光感度を良好にしつつ室内照度の向上を図ることができる。
【０００８】
本発明に係る照明器具は、上記照明器具において、前記放電灯の発光部と前記受光部との間に、前記放電灯から前記受光素子へ光が直接入らないように、かつ器具本体の直下照度を確保するために放電灯中央部が空いた反射板を設けたことを特徴とする。
【０００９】
本発明においては、発光管を曲折させて平面形状に形成された放電灯を略面光源とみることができる。そのため、環状の放電灯と異なり、反射板を入れても中央の床面を直接光で照らすことができる。また、反射板の位置を淵側にすることで器具本体の直下の照度を、より向上させることができる。
【００１０】
本発明に係る照明器具は、上記照明器具において、ＬＥＤを前記反射板の略下向きにかつ、前記受光素子より下部に設置することを特徴とする。
【００１１】
本発明においては、反射板によって遮られた照度をＬＥＤで補充することが可能である。また、ＬＥＤは指向性が高いために、新たに反射板を設けなくても受光素子にＬＥＤの光を入射させることがないので受光感度を良好にすることができる。
【発明の効果】
【００１２】
本発明の照明器具によれば、光が器具内から下面以外にも出るように構成された器具本体と、発光管を曲折させて平面形状に形成された放電灯と、放電灯の下にリモコン装置から送信された無線光信号を受信する受光素子を備えた受光部と、受光部で受信した無線光信号に応じて放電灯の点灯制御を行う点灯装置と、を備え、放電灯からの光が受光素子へ直接入らないように、かつ反射した光が器具本体の直下以外にも放射するように角度をつけた反射板を放電灯の発光部と受光部の間に設置した。
これにより、受光感度を良好にしつつ室内照度の向上を図ることができるという効果を有する。
【図面の簡単な説明】
【００１３】
【図１】本発明に係る第１実施形態の照明器具の垂直断面図
【図２】図１の照明器具の底面図
【図３】図１の照明器具に適用される放電灯の底面図
【図４】本発明に係る第２実施形態の照明器具の垂直断面図
【図５】図４の照明器具の底面図
【図６】図４の照明器具における反射板の位置設定の作用図
【図７】本発明に係る第３実施形態の照明器具の垂直断面図
【図８】図７の照明器具の底面図
【発明を実施するための形態】
【００１４】
以下、本発明の複数の実施形態に係る照明器具について図面を参照して説明する。
【００１５】
（第１実施形態）
図１に示すように、本発明の第１実施形態である照明器具１０は、円盤形状の器具本体１１の中央部に器具固定兼電源接続部１２を備えている。器具固定兼電源接続部１２は天井面１に設置されている不図示の引掛け式の器具取付兼交流電源供給部に取り付けられる。
【００１６】
器具本体１１には主光源である平面形状の二重螺旋状渦巻型蛍光ランプ（放電灯）１３および二重螺旋状渦巻型蛍光ランプ１３の点灯回路１４が二重螺旋状渦巻型蛍光ランプ１３の光を下面方向へ反射させるための第１反射板１５とともに組み付けられている。
【００１７】
第１反射板１５の周りは第１反射板１５からの光を上方へ通すように透光性のある材料でできた枠体１６で囲まれている。
【００１８】
器具本体１１の下面中央部には光を反射させるための透光性の無い第２反射板１７が複数の連結部材１８を介して二重螺旋状渦巻型蛍光ランプ１３の中央部下側に組み付けられている。
【００１９】
第２反射板１７は透光性が無く、例えば樹脂材料を素材として成形された比較的薄い板部材を用いて円錐形状に形成されている。
【００２０】
第２反射板１７は二重螺旋状渦巻型蛍光ランプ１３の中央部下側に円錐形状に形成されているために、二重螺旋状渦巻型蛍光ランプ１３からの光を第１反射板１５へ向けて反射させる。そして、第１反射板１５で反射した反射光を下方へ向けた間接光に変換する。
【００２１】
このとき、第２反射板１７は円錐形状にして水平面（床面）に対して予め定められた角度θをつけているために、反射板を水平に設置した場合と比べて、第２反射板１７を介して二重螺旋状渦巻型蛍光ランプ１３の光を器具本体１１に照らすことを避けないようにしている。つまり、第２反射板１７は二重螺旋状渦巻型蛍光ランプ１３からの光を積極的に反射させる。
【００２２】
第２反射板１７の下面にはリモコン受信部１９が略下向きに設置されている。リモコン受信部１９は赤外線用の受光素子２０を備えているとともに不図示のマイコンを内蔵している。マイコンは予め格納しているプログラムに従い点灯制御の動作を支配する。リモコン受信部１９は使用者が手で持つリモコン装置２１から送信された無線光信号を受信する。なお、マイコンの位置は第２反射板１７の内側にして、受光素子２０からの入力を配線により送る方法でも良く、その場合は第２反射板１７とリモコン受信部１９との全体の厚さが薄くなって見栄えを良好にすることができる。
【００２３】
点灯回路１４は、フィルタを介して交流電源に接続されている。点灯回路１４は直流電力を出力する不図示の力率改善部と、力率改善部が出力した直流電力を交流電力に変換して二重螺旋状渦巻型蛍光ランプ１３に供給する不図示のインバーター部とを備えている。
【００２４】
図２に示すように、連結部材１８は軸形状に形成されて第２反射板１７の外縁部から枠体１６の内縁部へ向けて放射状に複数延出されている。そのため、連結部材１８は二重螺旋状渦巻型蛍光ランプ１３からの光の進行を阻止することはない。
【００２５】
図３に示すように、平面形状の二重螺旋状渦巻型蛍光ランプ１３は、全体形状が略円盤状となるように平面視二重渦巻状に形成した発光管２２と、発光管２２の長さ方向の両極部に設けた一対の口金２３と、を備えている。口金２３はランプソケット（図１参照）２４に電気的に接続することによりランプソケット２４を通じて点灯回路１４に電気的に接続される。
【００２６】
二重螺旋状渦巻型蛍光ランプ１３は、平面内で長さ方向の中間部を中心にして長さ方向の両側部分を同一方向の渦巻状に巻回することで二重渦巻状に形成したものである。このように薄型の平面状でかつ二重渦巻状に形成することで、平面視で中央部を含めた面全体が平面状に面発光する放電灯を構成することができる。そのため、従来の棒状の発光管に有する片口金ランプと比較して、小型でかつ高い出力照度を確保することができる。
【００２７】
二重渦巻の中心となる発光管２２の長さ方向の中間部は他部よりも太く形成してあり、その一部が発光管２２の片面側に突出している。この突出部分２５は発光管２２の最冷点となるもので、この突出部分２５により安定した発光を行うことができる。
【００２８】
発光管２２に設けた一対の口金２３は平面視で二重渦巻状の発光管２２の中心を中心として点対称の位置に配置してある。各口金２３と口金２３の内側に位置する発光管２２との長さ方向の一部の間、および発光管２２の長さ方向の一部と同部の内側に位置する発光管２２の長さ方向の一部の間には充填材２６を充填してある。
【００２９】
一対の口金２３同士は二重螺旋状渦巻型蛍光ランプ１３の一方の面側に配置したブリッジ２７により連結してあり、これら充填材２６およびブリッジ２７により二重螺旋状渦巻型蛍光ランプ１３の変形が防止されている。
【００３０】
各口金２３と発光管２２の間および発光管２２間に設けた充填材２６はブリッジ２７の発光管２２側の面上（下面）に設けてあって、平面視でブリッジ２７と重複しているために、充填材２６およびブリッジ２７によって発光管２２が塞がれる面積が小さくなり、光のロスが少ない。
【００３１】
各口金２３の端面には平行な２本のランプピン２８を発光管２２の面と平行に突設してある。詳しくは、一方の口金２３に設けたランプピン２８の突出方向と他方の口金２３に設けたランプピン２８の突出方向とは逆方向となっている。
【００３２】
各口金２３の一対のランプピン２８は円形となる口金２３の端面の中央部から突出し、平面状に発光する発光管２２の面に対して直交する方向に並設されている。
【００３３】
二重螺旋状渦巻型蛍光ランプ１３は、平面視でその中心を器具本体１１の中心に位置させるように下方から器具本体１１に向けて挿入させ、口金２３に設けたランプピン２８を発光管２２と同一平面内に配置されたランプソケット２４に対して電気的・機械的に接続する。
【００３４】
このような照明器具１０は、リモコン装置２１から送信された無線光信号をリモコン受信部１９により受信することにより、無線光信号に基づいて点灯回路１４が駆動されて二重螺旋状渦巻型蛍光ランプ１３を点灯させる。
【００３５】
二重螺旋状渦巻型蛍光ランプ１３が点灯することにより、二重螺旋状渦巻型蛍光ランプ１３から出射された光のうち、第２反射板１７が下方に無い発光管２２部分から下方に向けて出射された光α１は直接光として下方を照射する。
【００３６】
二重螺旋状渦巻型蛍光ランプ１３から出射された光のうち、第２反射板１７が下方に配置されている発光管２２部分から下方に向けて出射された光α２は第２反射板１７により上方に向けて反射した後に第１反射板１５により反射して間接光として下方を照射する。
【００３７】
二重螺旋状渦巻型蛍光ランプ１３から出射された光のうち、第２反射板１７が下方に配置されている発光管２２部分および第２反射板１７が下方に無い発光管２２部分から上方に向けて出射された光α３は第１反射板１５により反射して間接光として下方を照射する。
【００３８】
このように、照明器具１０は二重螺旋状渦巻型蛍光ランプ１３からの光α１，２，３のいずれも、第２反射板１７の下面に配置されているリモコン受信部１９の受光素子２０に向けて進行することがない。
【００３９】
第１実施形態の照明器具１０では、二重螺旋状渦巻型蛍光ランプ１３の発光管２２とリモコン受信部１９との間に第２反射板１７がありリモコン受信部１９に二重螺旋状渦巻型蛍光ランプ１３の光が直接入らない。
これにより、受光素子２０の受光感度を良好としたまま、二重螺旋状渦巻型蛍光ランプ１３から発し第２反射板１７に当たる光は間接光として利用して室内照度を上げることができる。また、第２反射板１７に角度をつけているために、反射板を水平に設置した場合と比べて、第２反射板１７を介して二重螺旋状渦巻型蛍光ランプ１３の光を器具本体１１に照らすことを避けないようにできる。
従って、受光感度を良好にしつつ室内照度の向上を図ることができる。
【００４０】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００４１】
図４、図５に示すように、本発明の第２実施形態の照明器具３０は、中央部に開放された円形の透光用開口部３２を有して円錐台形状（円盤形状）に形成された第２反射板３１を備えている。
【００４２】
図６に示すように、第２反射板３１は器具本体１１の淵側に配置されている。このとき、上述した第１実施形態の照明器具１０のように第２反射板３１を器具本体１１の中央部に配置した場合、照射範囲Ａ１が側部に設定されるために器具本体１１の直下の照度が低下する虞がある。これに対して、第２反射板３１を器具本体１１の淵側に配置することにより照射範囲Ａ２が中央部に設定されるために器具本体１１の直下の照度を向上させることができる。
【００４３】
このような照明器具３０は、二重螺旋状渦巻型蛍光ランプ１３が点灯することにより、二重螺旋状渦巻型蛍光ランプ１３から出射された光のうち、第２反射板３１の透光用開口部３２上に配置されている発光管２２部分から下方に向けて出射された光α１は直接光として下方を照射する。
【００４４】
二重螺旋状渦巻型蛍光ランプ１３から出射された光のうち、第２反射板３１が下方に配置されている発光管２２部分から下方に向けて出射された光α２は第２反射板３１により上方に向けて反射した後に第１反射板１５により反射して間接光として下方を照射する。
【００４５】
二重螺旋状渦巻型蛍光ランプ１３から出射された光のうち、第２反射板３１が下方に配置されている発光管２２部分および第２反射板３１が下方に無い発光管２２部分から上方に向けて出射された光α３は第１反射板１５により反射して間接光として下方を照射する。
【００４６】
第２実施形態の照明器具３０では、発光管２２を曲折させて平面形状に形成された二重螺旋状渦巻型蛍光ランプ１３を略面光源とみることができる。
従って、環状の放電灯と異なり、第２反射板３１を設置しても中央の床面を直接光で照らすことができる。
また、第２反射板３１の位置を器具本体１１の淵側にすることで器具本体１１の直下の照度を向上させることができる。
【００４７】
（第３実施形態）
次に、本発明の第３実施形態の照明器具について説明する。
【００４８】
図７、図８に示すように、本発明の第３実施形態の照明器具４０は、中央部に開放された円形の透光用開口部４２を有して円錐台形状（円盤形状）に形成された第２反射板４１を備えている。
【００４９】
第２反射板４１の下面において、リモコン受信部１９の外周側に複数のＬＥＤ（発光ダイオード）４３を下方に照射方向を設定して組み付けている。複数のＬＥＤ４３はリモコン受信部１９の受光素子２０よりも下方に位置している。
【００５０】
このような照明器具４０は、リモコン装置２１から送信された無線光信号をリモコン受信部１９により受信することにより、無線光信号に基づいて点灯回路１４が駆動されて二重螺旋状渦巻型蛍光ランプ１３が点灯され、同時に複数のＬＥＤ４３が発光する。
【００５１】
二重螺旋状渦巻型蛍光ランプ１３から出射された光のうち、第２反射板４１の透光用開口部４２上に配置されている発光管２２部分から下方に向けて出射された光α１は直接光として下方を照射する。
【００５２】
二重螺旋状渦巻型蛍光ランプ１３から出射された光のうち、第２反射板４１が下方に配置されている発光管２２部分から下方に向けて出射された光α２は第２反射板４１により上方に向けて反射した後に第１反射板１５により反射して間接光として下方を照射する。
【００５３】
二重螺旋状渦巻型蛍光ランプ１３から出射された光のうち、第２反射板４１が下方に配置されている発光管２２部分および第２反射板４１が下方に無い発光管２２部分から上方に向けて出射された光α３は第１反射板１５により反射して間接光として下方を照射する。
【００５４】
そして、ＬＥＤ４３からの発光光α４は直接光として下方を照射する。このとき、ＬＥＤ４３はリモコン受信部１９の受光素子２０よりも下方に位置している。
従って、ＬＥＤ４３からの発光光α４はリモコン受信部１９の受光素子２０に入射されることがない。
【００５５】
第３実施形態の照明器具３０では、第２反射板４１によって遮られた照度をＬＥＤ４３で補充することが可能である。また、ＬＥＤ４３は指向性が高いために、新たに反射板を設けなくても受光素子２０にＬＥＤ４３の光を入射させることがないので受光感度を良好にすることができる。
【００５６】
なお、前記各実施形態で使用した器具本体１１、器具固定兼電源接続部１２、枠体１６、ランプソケット２４等は例示したものに限定するものではなく適宜変更が可能である。
【符号の説明】
【００５７】
１０、３０、４０  照明器具
１１  器具本体
１３  二重螺旋状渦巻型蛍光ランプ（放電灯）
１４  点灯回路（点灯装置）
１７、３１、４１  第２反射板（反射板）
１９  リモコン受信部（受光部）
２０  受光素子
２１  リモコン装置
２２  発光管（発光部）
４３  ＬＥＤ
【図１】
2010198854.tif 000003
【図２】
2010198854.tif 000004
【図３】
2010198854.tif 000005
【図４】
2010198854.tif 000006
【図５】
2010198854.tif 000007
【図６】
2010198854.tif 000008
【図７】
2010198854.tif 000009
【図８】
2010198854.tif 000010